(57)【特許請求の範囲】
【請求項１】
外枠と、この外枠に開閉自在に支持され蓋材が取付けられた内枠とを備えてなる天井点検口同士を連結するようにした天井点検口の取付け構造であって、第１の天井点検口の外枠は３辺で天井側にビス止めされ、この外枠の残りの１辺には隣り合う第２の天井点検口を連結するための連結材が固定されるとともに、この連結材は天井内空間の固定部に支持され、前記第１の天井点検口の残り１辺に第２の天井点検口の一辺が近接した状態で、第１の天井点検口の残りの１辺に取つけられた前記連結材に対し第２の天井点検口の外枠の１辺が固定されるように構成され、前記第２の天井点検口の外枠の１辺に対し少なくとも直角に向く２辺は天井側にビス止めされてなることを特徴とする天井点検口の取付け構造。
【請求項２】
蓋材には透光性のある板材が用いられることを特徴とする請求項１に記載の天井点検口の取付け構造。
【発明の詳細な説明】
【技術分野】
【０００１】
本発明は、天井点検口構造に関し、より詳細には、連結部材を用いて既存の点検口を複数台連結して設置することができる天井点検口構造の技術に関する。
【背景技術】
【０００２】
室内の天井などに必要に応じて点検口が設けられているが、天井に設けられる点検口は単体で用いられ、外枠の４辺がドリルビスなどで開口部の内面に固定されている。細長の開口が必要とされる場合に複数台の点検口を連結して設置することができれば簡便な方法で点検口を設置することができるが、点検口の外枠同士を直接連結することができないので、単独の点検口が複数台分散した状態で設けられている。点検口同士が連結された状態で開口部に設置されるものではない。
【発明の概要】
【発明が解決しようとする課題】
【０００３】
たとえば、屋根から太陽光を室内に採り入れるために、長手方向に長い開口を天井に設けたい場合がある。開口部には、たとえばポリカーボネートのシートが貼られ、屋根から入った太陽光は拡散して室内に取り入れられる。この場合に、内枠にポリカーボネートのシートを取付けた既存の点検口を連結して用いることができれば、簡便な方法で多様な開口形状を形成することができるが、点検口外枠は開口部に単独で固定されることを前提としているので既存の点検口の外枠同士を直接連結することはできない。
【０００４】
本発明の目的は、このような課題を解決するもので、連結部材を用いて既存の点検口を複数台連結して設置することができる天井点検口構造を提供することである。
【課題を解決するための手段】
【０００５】
この課題を解決するために本発明は、外枠と、この外枠に開閉自在に支持され蓋材が取付けられた内枠とを備えてなる天井点検口同士を連結するようにした天井点検口の取付け構造であって、第１の天井点検口の外枠は３辺で天井側にビス止めされ、この外枠の残りの１辺には隣り合う第２の天井点検口を連結するための連結材が固定されるとともに、この連結材は天井内空間の固定部に支持され、前記第１の天井点検口の残り１辺に第２の天井点検口の一辺が近接した状態で、第１の天井点検口の残りの１辺に取つけられた前記連結材に対し第２の天井点検口の外枠の１辺が固定されるように構成され、前記第２の天井点検口の外枠の１辺に対し少なくとも直角に向く２辺は天井側にビス止めされてなるものである。さらに蓋材には透光性のある板材が用いられるものである。
【発明の効果】
【０００６】
請求項１に記載の発明によれば、第１の天井点検口の外枠は３辺で天井側にビス止めされ、この外枠の残りの１辺には隣り合う第２の天井点検口を連結するための連結材が固定されるとともに、この連結材は天井内空間の固定部に支持され、前記第１の天井点検口の残り１辺に第２の天井点検口の一辺が近接した状態で、第１の天井点検口の残りの１辺に取つけられた前記連結材に対し第２の天井点検口の外枠の１辺が固定されるように構成され、前記第２の天井点検口の外枠の１辺に対し少なくとも直角に向く２辺は天井側にビス止めされるので、既存の点検口を複数台連結して設置することができる天井点検口構造を提供することができる。
【０００７】
請求項２に記載の発明によれば、内枠に取付けられる蓋材には透光性のある板材が用いられるので、たとえば太陽光を天井から室内に採り入れることができる。
【図面の簡単な説明】
【０００８】
【図１】３台の点検口２，３，４が連結された点検口体１の平面図である。
【図２】点検口体１を横断面Ａで切断した断面図である。
【図３】点検口体１を横断面Ｂで切断した断面図である。
【図４】点検口体１を横断面Ｃで切断した断面図である。
【図５】外枠６が取付けられた開口部の平面図である。
【図６】外枠７が取付けられた開口部の平面図である。
【図７】外枠７が取付けられた開口部の正面図である。
【図８】外枠７が取付けられた開口部の側面図である。
【図９】外枠８が取付けられた開口部の平面図である。
【図１０】内枠１０の斜視図である。
【図１１】天井パネル開口部に点検口が設置された外観図である。
【発明を実施するための形態】
【０００９】
以下、本発明の一実施形態について図１〜図１１に基づいて説明する。図１は３台の点検口２，３，４が連結された点検口体１の平面図である。図２は図１に示す点検口体１を横断面Ａで切断した断面図である。図３は、図１に示す点検口体１を横断面Ｂで切断した断面図である。図４は、図１に示す点検口体１を横断面Ｃで切断した断面図である。
【００１０】
点検口体１は、第１点検口２，第２点検口３および第３点検口４を備え、第１点検口２と第２点検口３と第３点検口４とは各々連結材である連結部材５を介して連結される。第１点検口２，第２点検口３および第３点検口４は、外枠６，７および８と内枠９，１０および１１を各々備えており、点検口体１は、天井に設けられた開口部１２に取付けられる。
【００１１】
外枠６，７，８は長方形の額縁状であり、アルミ押出形材で形成された部材を連結して形成される。外枠６，７，８の断面は、底面１３の両端から側面１４，１５が立ち上がったコの字状を有し、さらに、室内３４に臨む側の側面１４は底面１３からさらに外方に伸延している。
【００１２】
外枠６，７，８断面コの字状の底面１３には、外枠６，７，８を単独で取付ける場合に外枠６，７，８をドリルビスで固定する取付け座２５が設けられているが、後述するように、たとえば外枠６と外枠７とを連結部材５を介して連結する場合に、連結部材５を外枠６に取付けるボルト３１の取付け位置と、外枠７を連結部材５に連結するドリルビス３２の取付け位置とが重ならないようにするために、外枠６，７，８の対向する短手方向の辺に設けられるボルト３１の取付け位置とドリルビス３２の取付け位置とは互いに干渉しないようにずらした位置とされる（図６参照）。
外枠６，７，８の室内３４に臨む側の側面１４の端部１７には、気密材１８を介して開口部１２の角部３３に当接する凸部１９が形成され、底面１３の奥側端部には、底面１３と平行な段付き部２０が形成されている。
【００１３】
連結部材５は、断面がコの字状の長尺であり、図３に示すように底面２１から立ち上がる両側面２６，２７の端部には当接部２２，２３が形成される。連結部材５は、開口が外枠６に対向した状態で、当接部２２が外枠６の凸部１９に当接し、当接部２３が外枠６の段付き部２０に当接し、さらに室内３４に臨む側の側面２４が、外枠６の側面１４の端部１７に当接した状態で外枠６に取付けられる。連結部材５は、外枠６の取付け座２５を用いて外枠６にボルト止めされるので、連結部材５の底面２１には、取付け座２５のピッチに合わせてボルトの取付け孔３５が設けられる。
【００１４】
図４に示すように連結部材５の底面２１角部には、外枠７の凸部１９および段付き部２０が当接する。外枠７は、底面２１角部が外枠７の凸部１９および段付き部２０に当接した状態でドリルビス３２を用いて底面２１に固定されるが、前述のようにボルト３１とドリルビス３２とは取付け位置が異なるので干渉することはない。外枠６と外枠７とを連結する連結部材５について説明してきたが、外枠７と外枠８との間に設けられる連結部材５についても同様である。
【００１５】
連結部材５には、連結部材５を開口部１２内面１６に取付ける連結部材取付け金具２８が係止される。連結部材取付け金具２８は、金属製で断面Ｌ字状であり、側面２７の長手方向両端部に係止される。連結部材取付け金具２８は、側面２７の両端部に形成されたコの字状の係止部２９に係止されており、点検口２，３，４が連結される連結方向と直交する幅方向に移動可能とされる。なお、係止部２９は、外枠と一体成形されたアルミ押出形材が用いられるが、たとえば別部品としてプレス加工したものをビス止めするものでもよい。
【００１６】
図２に示すように、連結部材取付け金具２８が係止された側面２７から垂直に立ち上がった取付面３０にはドリルビス３２の取付け孔３５が２箇所設けられており、連結部材取付け金具２８は、ドリルビス３２で内面１６の仕上げ材に取付けられる。
【００１７】
ここで点検口体１の取付け手順について説明する。ここで、外枠６にボルト止めされる連結部材を５ａとし、外枠７にボルト止めされる連結部材を５ｂとする。まず、外枠６に連結部材５ａが取り付けられる。連結部材５ａの当接部２２，２３を外枠６の凸部１９と段付き部２０とに当接させ、さらに連結部材５ａの側面２４が外枠６の側面１４の端部１７に当接した状態で、連結部材５ａが外枠６にボルト３１で固定される。なお、ここで連結部材取付け金具２８は、側面２７の係止部２９に嵌め込まれ連結部材５ａに係止される。
【００１８】
図５は、外枠６が取付けられた開口部１２の平面図である。連結部材５ａが取付けられた外枠６は、連結部材５ａが取つけられていない３辺６ｂ，６ｃ，６ｄを開口部内面１６に対向させた状態で開口部１２に嵌め込まれる。外枠６の内面１６に対向する３辺６ｂ，６ｃ，６ｄは、図２に示すように側面１４の凸部１９が気密材１８を介して開口部の角部３３に当接した状態で開口部内面１６にドリルビス３２で固定される。連結部材取付け金具２８は、係止部２９によって取付け方向に移動可能に支持されており、連結部材取付け金具２８の取付面３０を容易に開口部内面１６に合わせてドリルビス３２で固定することができる。
【００１９】
次に、外枠７が、連結部材５ａに連結され固定される。図６は、外枠７が取付けられた開口部１２の平面図であり、図７は、外枠７が取付けられた開口部１２の正面図である。図８は、外枠７が取付けられた開口部の側面図である。外枠７は、予め連結部材５ｂが取り付けられた状態で開口部１２に嵌め込まれるが、外枠７に連結部材５ｂを取り付ける手順は、外枠６に連結部材５ａを取り付ける手順と同様であるので説明は省略する。連結部材５ｂが取り付けられた外枠７は、連結部材５ｂが取つけられた短手方向の辺７ａに対向する短手方向の辺７ｄを連結部材５ａに当接させる。図４に示すように、外枠７は、側面１４の凸部１９と段付き部２０とを連結部材５ａの底面２１角部に当接させ、さらに外枠７の側面１４の端部１７が連結部材５ａの側面２４に当接した状態で、連結部材５ａの底面２１にドリルビス３２で固定される。外枠７の開口部内面１６に対向する２辺７ｂ，７ｃは、図２に示すように側面１４の凸部１９が気密材１８を介して開口部１２の角部３３に当接した状態で開口部内面１６にドリルビス３２で固定される。
【００２０】
さらに、外枠８が、連結部材５ｂに連結され固定される。図９は、外枠８が取付けられた点検口体１の平面図である。外枠８は、辺８ａを連結部材５ａに当接させ、側面１４の凸部１９と段付き部２０とを連結部材５ｂの底面２１角部に当接させ、さらに外枠８の側面１４の端部１７が連結部材５ｂの側面２４に当接した状態で、連結部材５ｂの底面２１にドリルビス３２で固定される。外枠８の開口部内面１６に対向する３辺８ｂ，８ｃ，８ｄは、図２に示すように側面１４の凸部１９が気密材１８を介して開口部の角部３３に当接した状態で開口部内面１６にドリルビス３２で固定される。このようにして、点検口体１の外枠６，７および８が連結された状態で開口部１２に取付けられる。
【００２１】
なお、外枠６，７および８には、各々内枠９，１０，１１が取付けられる。内枠９，１０，１１は、外枠６，７，８と不図示のヒンジ部とを係合させて回動可能に支持され、不図示の開閉カム部によって開閉される。外枠６，７，８と内枠９，１０，１１とは不図示の安全ワイヤーで繋がれ内枠９，１０，１１の脱落が防止されるが、詳細な説明は省略する。
【００２２】
本実施例においては、不図示の建物の屋根側開口部には、ポリカーボネート樹脂であるタキロン株式会社製のルメルーフ（国土交通大臣屋根防火材料認定Ｎｏ．ＤＷ−００１０）が取付けられて太陽光が採り入れられる。屋根側から採り入れた太陽光を拡散させて室内に採り入れるために、内枠１０には裏側から蓋材である板状のポリカーボネート材４１が嵌め込まれる。図１０は内枠１０の斜視図である。ポリカーボネート材４１は、内枠内面に取付けられた断面くの字型の押さえアングル４２で押圧され固定される。
【００２３】
本実施例では、同じタイプの点検口２，３，４が３台連結される場合について説明したが、連結される点検口の中に連結方向の長さが異なる点検口が含まれていてもよく、台数も３台に限定されるものではない。図１１は、天井パネル開口部に点検口が設置された外観図である。点検口体３６が２箇所に設けられ、点検口体３７が１箇所設けられる。点検口体３６は、３８，３９および４０の３種類の点検口を４台連結したものであり、点検口体３７は、３９および４０の点検口を３台連結したものである。このように必要に応じて異なるタイプの点検口を連結することができ、容易に所望の開口を複数個所に形成して太陽光を室内に採り入れることができる。
【００２４】
このように点検口２の外枠６は３辺で天井側にビス止めされ、この外枠６の残りの１辺には隣り合う点検口３を連結するための連結部材５が固定されるとともに、この連結部材５は天井内空間の固定部に支持され、点検口２の残り１辺に点検口２の一辺が近接した状態で、点検口２の残りの１辺に取つけられた連結部材５に対し点検口３の外枠７の１辺が固定されるように構成され、前記点検口３の外枠７の１辺に対し少なくとも直角に向く２辺は天井側にビス止めされるので、既存の点検口を複数台連結して設置することができる。
【００２５】
さらに、内枠９，１０，１１の蓋材として透光性のある板材を用いるようにしたので、室内３４にたとえば太陽光を採り入れることができる。
【符号の説明】
【００２６】
１，３６，３７    点検口体
２，３，４，３８，３９，４０    点検口
５，５ａ，５ｂ    連結部材
６，７，８    外枠
９，１０，１１    内枠
１２    開口部
１３    底面
１４，１５    側面
１６    内面
１７    端部
１８    気密材
１９    凸部
２０    段付き部
２１    底面
２２，２３    当接部
２４    側面    
２５    取付け座
２６，２７    端面
２８    連結部材取付け金具
２９    係止部
３０    取付面
３１    ボルト
３２    ドリルビス
３３    角部
３４    室内
３５    取付け孔
４１    ポリカーボネート材
４２    押さえアングル
【図１】
0005465044.tif 000002
【図２】
0005465044.tif 000003
【図３】
0005465044.tif 000004
【図４】
0005465044.tif 000005
【図５】
0005465044.tif 000006
【図６】
0005465044.tif 000007
【図７】
0005465044.tif 000008
【図８】
0005465044.tif 000009
【図９】
0005465044.tif 000010
【図１０】
0005465044.tif 000011
【図１１】
0005465044.tif 000012